(57)【要約】【課題】陽極水又は陰極水を廃棄する必要のない電解水製造装置及び電解水の製造方法を提供する。【解決手段】一対の電極３、５を備え、前記電極間に張設された隔膜６により陽極室４及び陰極室２が形成された流通型電解槽１と、下流側が分岐し、陽極室の入口側及び陰極室の入口側にその下流端がそれぞれ連結された電解原水供給分岐管３７と、陰極室の出口側に連結された電解水取出管３４と、一端が陽極室の出口側に、他端が前記電解原水供給分岐管の分岐部３７ｃよりも上流側に連結された還流管３８と、を有する電解水製造装置。陽極室及び陰極室に電解原水を連続的に供給し、陰極室に流通させた電解水を電解水取出管３４から外部に取り出すと共に、陽極室に流通させた電解水を還流管３８から還流させて電解原水に混合する。【選択図】図３
2007275778.tif 000002
【特許請求の範囲】
【請求項１】
一対の電極を備え、前記電極間に張設された隔膜により陽極室及び陰極室が形成された流通型電解槽と、陽極室の入口側に連結された電解原水を陽極室に供給する電解原水供給管と、陰極室の出口側に連結され陰極室内の電解水を陰極室外に取出す電解水取出管と、陽極室の電解水出口側と陰極室の電解水入口側とを連結する流通管と、を有する電解水製造装置。
【請求項２】
一対の電極を備え、前記電極間に張設された隔膜により陽極室及び陰極室が形成された流通型電解槽と、陰極室の入口側に連結された電解原水を陰極室に供給する電解原水供給管と、陽極室の出口側に連結され陽極室内の電解水を陽極室外に取出す電解水取出管と、陰極室の電解水出口側と陽極室の電解水入口側とを連結する流通管と、を有する電解水製造装置。
【請求項３】
一対の電極を備え、前記電極間に張設された隔膜により陽極室及び陰極室が形成された流通型電解槽と、下流側が分岐し、陽極室の入口側及び陰極室の入口側にその下流端がそれぞれ連結された電解原水供給分岐管と、陰極室の出口側に連結された電解水取出管と、一端が陽極室の出口側に、他端が前記電解原水供給分岐管の分岐部よりも上流側に連結された還流管と、を有する電解水製造装置。
【請求項４】
還流管がポンプを介装してなる請求項３に記載の電解水製造装置。
【請求項５】
一対の電極を備え、前記電極間に張設された隔膜により陽極室及び陰極室が形成された流通型電解槽と、下流側が分岐し、陰極室の入口側及び陽極室の入口側にその下流端がそれぞれ連結された電解原水供給分岐管と、陽極室の出口側に連結された電解水取出管と、一端が陰極室の出口側に、他端が前記電解原水供給分岐管の分岐部よりも上流側に連結された還流管と、を有する電解水製造装置。
【請求項６】
還流管がポンプを介装してなる請求項５に記載の電解水製造装置。
【請求項７】
水溶性無機塩を０．１ｍＭ以上含有する電解原水を、隔膜式流通型電解槽内の陽極室及び陰極室のいずれか一方に連続的に供給して流通させた後、他方に導入して流通させることにより連続的に電気分解する電解水の製造方法。
【請求項８】
水溶性無機塩を０．１ｍＭ以上含有する電解原水を、隔膜式流通型電解槽内の陽極室及び陰極室に連続的に供給し、陽極室と陰極室のいずれか一方に流通させて電解した電解水を外部に取り出すと共に、他方に流通させて電解した電解水を電解槽の上流側に還流させて電解原水に混合することを特徴とする電解水の製造方法。
【請求項９】
陽極室と陰極室のいずれか一方から外部に取り出す電解水と、他方から電解槽の上流側に還流させる電解水の流量の比が、１：５０〜５０：１である請求項８に記載の電解水の製造方法。
【発明の詳細な説明】
【技術分野】
【０００１】
本発明は、連続流通型隔膜式電解槽を使用する電解水製造装置及び電解水の製造方法に関し、詳細には陽極水又は陰極水を採取するにあたりいずれかを廃棄する必要のない電解水製造装置及び電解水の製造方法に関する。
【背景技術】
【０００２】
一般に、電解水製造装置には、一対の電極間に隔膜を有する隔膜式電解槽と、隔膜のない無隔膜式電解槽を備えたものとがあり、それぞれ目的に応じて利用されている。
【０００３】
隔膜式電解槽の隔膜には、荷電膜であるイオン交換膜、非荷電膜である中性膜等が用いられる。電解槽の陽極側（陽極室）では酸性の電解水が、陰極側（陰極室）ではアルカリ性の電解水が生成する。隔膜式電解槽を用いた装置を使用する場合、通常、陽極側電解生成水（陽極水）と陰極側電解生成水（陰極水）とは別々に採取される。
【０００４】
電解原水に電解質として塩化ナトリウムのような塩化物を添加して電解を行うと、陽極側には電極反応生成物である塩酸、次亜塩素酸、溶存酸素や、ヒドロキシルラジカルのような活性酸素が生成する。次亜塩素酸は、強力な塩素化反応と酸化反応を示すことから、陽極水は菌類の殺菌等に利用されている。
【０００５】
一方、陰極側に生成する陰極水は飲用のアルカリイオン水として広く知られている。陰極水製造装置（例えば、特許文献１〜３参照）は医療器具等として市販されており、ミネラル水の普及とともに広く普及している。
【０００６】
無隔膜式電解槽による電解生成水は、陽極水と陰極水が混合した混合電解水として得られる。混合電解水は、陽極水が混合していることから次亜塩素酸水を含むので、主として殺菌や菌の増殖を制御することを目的として利用されている。
【０００７】
これらの電解生成水は、いくつかのパラメータによりその性質を表すことができる。パラメータとしては、ｐＨ、酸化還元電位、溶存酸素濃度、溶存水素濃度、次亜塩素酸濃度等が採用されている。これらパラメータの値は、電解原水に含まれる溶質の種類や濃度、電解水に付与された電解エネルギーの大きさ等により決定される。
【０００８】
アルカリイオン水を製造する場合、陰極側では水酸化物と溶存水素が生成するため、陰極水はｐＨが上昇してアルカリ性となり、溶存水素濃度が高くなる。そのため、アルカリイオン水の酸化還元電位は低くなり、時には比較電極の直読で−２００ｍＶ以下になることもある。
【０００９】
酸化還元電位が低いことは還元的雰囲気状態であることを意味する。溶存水素の溶解度は極めて低く、体内に取り込んでも気体として散逸してしまうので、アルカリイオン水を飲用するに際しては、これらは重要なパラメータではない。
【００１０】
電解生成水を飲用する場合、最も重要なパラメータは次亜塩素酸濃度とｐＨの値である。陰極水の場合は次亜塩素酸が含まれないので、ｐＨの値のみが問題になる。強アルカリ性や強酸性の電解水は生体にとって危険であるので、弱アルカリ〜弱酸性領域の電解水が飲用される。電解エネルギーが大きいと、陽極水は強酸性側に、陰極水は強アルカリ側に傾くので、通常は、電解時にはあまり大きな電気量は使用できない。
【００１１】
電解時に高い電気量を用いて得られる電解水のｐＨを所定範囲内に保つため、従来様々な方法が用いられている。例えば、無隔膜式電解槽により電解することにより、あるいは、隔膜式電解槽で電解した陽極水と陰極水とを混合することにより混合電解水を得た後、次亜塩素酸等の有害物質を除去する方法、隔膜式電解槽で電解を行う前又は後にｐＨ調整剤を添加して陰極水のｐＨをコントロールする方法（特許文献４参照）等が知られている。
【特許文献１】特開２００２−１８４３９号公報（図１）
【特許文献２】特開２０００−３３３７７号公報（図１、２）
【特許文献３】特開平１１−１６９８５６号公報（請求項１）
【特許文献４】特開２０００−７９３９１号公報（請求項１）
【発明の開示】
【発明が解決しようとする課題】
【００１２】
無隔膜式電解槽による電解や、隔膜式電解槽により電解後に混合電解水を得る方法は、陽陰両極の電解水を利用するので、水の有効利用という面からは有利である。ところが、隔膜式電解槽による電解を行い、陽極水又は陰極水のみを得る場合は、通常、他方の電極側に生成した電解水は廃棄される。実際、市販されているアルカリイオン水製造装置は、ほとんどのものが隔膜式電解槽から陽極水と陰極水を別々に排出する構造になっており、陰極側より排出される陰極水を飲用に供する一方で、陽極水については廃棄されている。このことは、水資源の有効利用という考え方に立脚すると、きわめて大きな損失となっている。
【００１３】
本発明の目的は、隔膜式電解槽を用いて電解水を製造する電解水製造装置であって、陽極水及び陰極水のいずれか一方を取り出して利用する場合であっても、他方を廃棄する必要のない電解水製造装置及び電解水の製造方法を提供することにある。
【課題を解決するための手段】
【００１４】
本発明者は、上記課題を解決すべく鋭意検討を行った結果、隔膜式電解槽の陽極室又は陰極室のうち、いずれか一方に流通させた後、他方へ流通させることにより得られる電解水は、最後に通過した電極室の影響を強く受けたものとなり、結果として陽極水又は陰極水のみが得られることを見出した。
【００１５】
更に、隔膜式電解槽の陽極室と陰極室の両方に電解原水を連続的に供給して電解を行うに際し、いずれか一方に流通させた電解水を取り出すと共に、他方を流通させた電解水を電解槽の上流側に戻して電解原水に混合し、再び電解槽内で電解することにより、陽極水又は陰極水のみを取り出すことができることを見出した。
【００１６】
上記目的を達成する本発明は、以下に記載するものである。
【００１７】
〔１〕  一対の電極を備え、前記電極間に張設された隔膜により陽極室及び陰極室が形成された流通型電解槽と、陽極室の入口側に連結された電解原水を陽極室に供給する電解原水供給管と、陰極室の出口側に連結され陰極室内の電解水を陰極室外に取出す電解水取出管と、陽極室の電解水出口側と陰極室の電解水入口側とを連結する流通管と、を有する電解水製造装置。
【００１８】
〔２〕  一対の電極を備え、前記電極間に張設された隔膜により陽極室及び陰極室が形成された流通型電解槽と、陰極室の入口側に連結された電解原水を陰極室に供給する電解原水供給管と、陽極室の出口側に連結され陽極室内の電解水を陽極室外に取出す電解水取出管と、陰極室の電解水出口側と陽極室の電解水入口側とを連結する流通管と、を有する電解水製造装置。
【００１９】
〔３〕  一対の電極を備え、前記電極間に張設された隔膜により陽極室及び陰極室が形成された流通型電解槽と、下流側が分岐し、陽極室の入口側及び陰極室の入口側にその下流端がそれぞれ連結された電解原水供給分岐管と、陰極室の出口側に連結された電解水取出管と、一端が陽極室の出口側に、他端が前記電解原水供給分岐管の分岐部よりも上流側に連結された還流管と、を有する電解水製造装置。
【００２０】
〔４〕  還流管がポンプを介装してなる〔３〕に記載の電解水製造装置。
【００２１】
〔５〕  一対の電極を備え、前記電極間に張設された隔膜により陽極室及び陰極室が形成された流通型電解槽と、下流側が分岐し、陰極室の入口側及び陽極室の入口側にその下流端がそれぞれ連結された電解原水供給分岐管と、陽極室の出口側に連結された電解水取出管と、一端が陰極室の出口側に、他端が前記電解原水供給分岐管の分岐部よりも上流側に連結された還流管と、を有する電解水製造装置。
【００２２】
〔６〕  還流管がポンプを介装してなる〔５〕に記載の電解水製造装置。
【００２３】
〔７〕  水溶性無機塩を０．１ｍＭ以上含有する電解原水を、隔膜式電解槽内の陽極室及び陰極室のいずれか一方の室に連続的に供給して流通させた後、他方の室に導入して流通させることにより連続的に電気分解する電解水の製造方法。
【００２４】
〔８〕  水溶性無機塩を０．１ｍＭ以上含有する電解原水を、隔膜式電解槽内の陽極室及び陰極室に連続的に供給し、陽極室と陰極室のいずれか一方に流通させて電解した電解水を外部に取り出すと共に、他方に流通させて電解した電解水を電解槽の上流側に還流させて電解原水に混合することを特徴とする電解水の製造方法。
【００２５】
〔９〕  陽極室と陰極室のいずれか一方から外部に取り出す電解水と、他方から電解槽の上流側に還流させる電解水の流量の比が、１：５０〜５０：１である〔８〕に記載の電解水の製造方法。
【発明の効果】
【００２６】
本発明によれば、電解原水を隔膜式電解槽の陽極室と陰極室のいずれか一方に供給した後他方に導入することにより、あるいは陽極室と陰極室の両方に電解原水を供給していずれか一方から電解水を取り出すと共に、他方を流通した電解水を電解槽の上流側に還流させることにより、陽極水又は陰極水のみを取り出すことができる。そのため、隔膜式電解水製造装置を用いて陽極水又は陰極水のみを取り出す場合であっても、他方を廃棄する必要がない。
【００２７】
本発明の電解水製造装置は、電解原水を全て陽極水又は陰極水として取り出すことができ、従来の隔膜式電解水製造装置に比較して電解原水の利用効率が極めて高い。また、ｐＨ調整剤の使用により、高い電解電流を印加しても、得られる電解水のｐＨを中性付近に保つことができる。更に、電解原水が電解槽内を一度通過する従来の製造装置に比較して、本発明の装置は電解槽内を電解原水が複数回通過する割合が高いので、解離係数Ｋｗの大きい電解水を得ることができる。
【発明を実施するための最良の形態】
【００２８】
図１は、本発明の電解水製造装置の一例を示す概略構成図である。
【００２９】
図１中、１００は電解水製造装置で、１は流通型隔膜式電解槽である。断面四辺形の電解槽１の内部には、一対の対向側壁１５、１６に沿って一対の電極３及び５が配設されている。図１においては、電極５が陽極で、電極３が陰極である。
【００３０】
電極３、５間には、電極３及び５に平行に隔膜６が張設されている。隔膜６により電解槽１の内部空間は二分され、電解槽１内に陽極室４と陰極室２とが形成される。
【００３１】
図１中、１７、１８は、電極３、５に対して垂直な電解槽１の側壁を示している。側壁１７の陽極室入口側には電解原水供給口１１が、側壁１７の陰極室電解水出口側には電解水取出口１２が形成されている。電解原水供給口１１には電解原水供給管９、電解水取出口１２には電解水取出管１０がそれぞれ連結されている。電解原水供給管９は、ｐＨ調整剤供給タンク８を備えている。
【００３２】
側壁１８の陽極室電解水出口側には陽極水取出口１３が、側壁１８の陰極室電解水入口側には陽極水供給口１４が形成されている。陽極水取出口１３と陽極水供給口１４には、流通管７の両端がそれぞれ連結されている。流通管７により、陽極室４と陰極室２とは連通される。
【００３３】
水道水や塩化ナトリウム水溶液等の電解原水は、ｐＨ調整剤供給タンク８により所望によりｐＨ調整剤が添加された後、電解原水供給管９を通って電解槽１の陽極室４内に送られる。陽極室４内で電解された後、流通管７を通って陰極室２内に供給される。陰極室２内で再び電解された後、電解水取出管１０を通って外部に電解水として取り出される。
【００３４】
この装置により得られる電解水は、陽極室４と陰極室２内で電解された電解水であるが、最後に通過した陰極室での電解による影響を強く受けた状態となっている。電解水製造装置１００で、得られる電解水は陰極水である。
【００３５】
電解水製造装置１００は、電解水が陽極室と陰極室で２度電解されるため、電解水に付与される単位流量あたりの電解エネルギーが、陽極室又は陰極室のみを流通させる従来の製造装置の２倍である。
【００３６】
電解水製造の際には、電極３、５間に直流電圧電流を印加する。
【００３７】
なお、電解原水に印加する電流は、毎分１Ｌの流速を有する電解原水に対して０．５Ａ〜１０Ａが好ましく、１Ａ〜５Ａが特に好ましい。０．５Ａ未満の場合は、電解水中の溶存酸素量及び溶存水素量を電解原水よりも高くすることができず、１０Ａを超える場合、大電流が流れるため、電極の疲労が高まり極端に電解効率が落ちる傾向がある。
【００３８】
電極３、５は電気化学的に不活性な金属材料で形成されている。電極材料としては、白金、白金合金等が好ましい。
【００３９】
電極３、５の間隔は３〜１ｍｍ、好ましくは２〜１ｍｍである。
【００４０】
隔膜６としては、イオン交換膜や、無電荷膜等、電解隔膜として従来使用されているものが適宜使用できる。
【００４１】
電解槽１に供給される電解原水の流量は０．５〜１０Ｌ／ｍｉｎが好ましく、より好ましくは１〜５Ｌ／ｍｉｎである。
【００４２】
電解原水の水溶性無機塩等のイオン強度は、各水溶性無機電解質の合計で０．１ｍＭ以上とすることが好ましく、０．１〜０．５ｍＭとすることがより好ましい。電解原水には、通常水道水や電解質として塩化ナトリウムが添加された水が使用され、Cl-、HCl等の形態で塩素が含まれる。
【００４３】
得られる電解水のｐＨを所望のｐＨに調整するには、ｐＨ調整剤供給タンク８により、例えば水酸化ナトリウム、炭酸水素ナトリウム等の塩基性電解質水溶液、又は、塩酸、リン酸等の酸性電解質水溶液を電解原水に添加することにより容易に行うことができる。ｐＨ調整剤の使用は任意であり、電解水の使用目的によってはｐＨ調整剤は使用しなくてもよい。
【００４４】
上記説明においては、ｐＨ調整剤供給タンク８を電解原水供給管９に取り付ける場合について示したが、電解水取出管１０や流通管７にｐＨ調整剤供給タンクを取り付けてもよい。
【００４５】
得られる電解水を飲用等の目的で利用する場合、電解水に含まれる次亜塩素酸や塩素ガス等の遊離塩素の濃度が高い場合には、電解水を活性炭等で処理することにより容易に除去できる。この場合、電解水取出管１０は、活性炭等の吸着剤を充填した遊離塩素除去装置を介装していてもよい。
【００４６】
本発明の電解水製造装置であって、陽極水を製造する装置の一例の概略構成図を図２に示す。図２においては、電極の極性が逆である以外は図１と同じ構成であるので、同じ部分には同じ符号を付してその説明を省略する。図２中、２００は電解水製造装置、２０は陰極水取出口、２１は陰極水供給口である。
【００４７】
図２においては、電解原水は最初に陰極室２内に供給され、陰極室２内で電解された後、流通管７を通って陽極室４内に供給され、陽極室４内で電解される。
【００４８】
陽極室４内においては、電解質溶液中に塩素イオンが存在すると酸化されて塩素ガスとなり、更に水に溶解した塩素ガスの一部が次亜塩素酸となる。塩素イオンから次亜塩素酸と塩素ガスが生成する割合は、溶液のｐＨによって変化する。殺菌等に利用する場合に、陽極水の遊離塩素の濃度を高くするには、電解原水の塩素イオン濃度を高くするとともに、ｐＨを酸性側に調整する。具体的には、塩化ナトリウムや塩化カリウム等の塩化物電解質と塩酸との混合液をｐＨ調整剤供給タンク８から電解原水に添加することにより、強酸性の次亜塩素酸を含む電解生成水を得ることができる。
【００４９】
図３は、本発明の電解水製造装置の他の例を示す概略構成図である。
【００５０】
図３中、３００は電解水製造装置である。電解槽１の構成は、図１に示す電解槽の構成と同様である。
【００５１】
側壁１７の陰極室入口側、及び陽極室入口側には、それぞれ電解原水供給口３０、３１が形成されている。電解原水供給口３０、３１には、分岐部３７ｃより下流側が３７ａ、３７ｂに分岐した電解原水供給分岐管３７の下流端がそれぞれ取り付けられている。
【００５２】
側壁１８の陰極室出口側には陰極水取出口３２が、陽極室出口側には陽極水取出口３３が形成されている。陰極水取出口３２には陰極水取出管３４が、陽極水取出口３３には還流管３８が連結されている。還流管３８には、三方バルブ３６が介装されている。三方バルブ３６には、陽極水取出管３５の一端が連結されており、三方バルブ３６を切り換えることにより、陽極水を装置外部に排出することが可能となっている。
【００５３】
還流管３８の他端は、電解原水供給分岐管３７の分岐部３７ｃの上流側に連結されている。還流管３８には、ポンプ３９が介装される。
【００５４】
電解原水供給分岐管３７は、ｐＨ調整剤供給タンク８を備えている。その下流の分岐管３７ａには、遊離塩素除去装置４０が介装されている。
【００５５】
電解原水は、ｐＨ調整剤供給タンク８により、ｐＨ調整剤が添加された後、その一部は電解原水供給分岐管３７ａを通って電解槽１の陰極室２内に送られる。その後、陰極室２内で電解され陰極水となり、陰極水取出管３４から外部に取り出される。
【００５６】
電解原水の一部は、ポンプ３９を作動させることにより電解原水供給分岐管３７ｂを通って陽極室４内に導入され、電解分解されて陽極水となる。陽極水は還流管３８から取り出された後、電解原水供給分岐管３７の分岐部３７ｃより上流側に戻される。陽極水は電解原水供給分岐管３７内で電解原水と混合され、再び電解原水の一部となって、ｐＨ調整剤供給タンク８を通過した後、陰極室２又は陽極室４に送られる。
【００５７】
陽極室４内で生成した遊離塩素は、陰極室２内に導入される際に遊離塩素除去装置４０により除去される。
【００５８】
遊離塩素除去装置４０には、遊離塩素を除去できる公知の材料を充填でき、例えば、活性炭、活性炭素繊維、ゼオライト等を挙げることができる。
【００５９】
なお、得られる陰極水を飲用目的としない場合には、遊離塩素除去装置４０の使用は任意である。
【００６０】
得られる陰極水のｐＨを所望の値とするためには、図１の場合と同様な電解質水溶液をｐＨ調整剤として添加する。
【００６１】
電解原水には陽極水を混合させることから、電解原水供給分岐管３７の下流側を流通する電解原水のｐＨは、当初の電解原水より酸性側に傾いている。陰極室２内の陰極水はアルカリ性側に傾いているので、これらを混合することにより得られる陰極水はある程度中和される。
【００６２】
電解水製造装置３００を用いる場合に、陰極室の出口側から外部に取り出す陰極水の流量と、陽極室の出口側から分岐部３７ｃの上流側に還流させる陽極水の流量の比は、１：５０〜５０：１が好ましく、１：２０〜２０：１がより好ましく、１：１０〜１０：１が更に好ましい。
【００６３】
ｐＨ調整剤供給タンク８の取り付け位置は、図３の場合に限定されず、任意の位置とすることができる。遊離塩素除去装置４０は、陰極水取出管３４に取り付けられていてもよい。
【００６４】
使用する電解原水、ｐＨ調整剤や、電解電流、電極間距離、電解原水の流量等の好ましい値については図１の場合と同様である。
【００６５】
図３に示す装置においては、還流管３８はポンプ３９を介装しているが、ポンプ３９は使用しなくてもよい。
【００６６】
ポンプ３９を使用しない場合は、電解原水の一部は、破線矢印で示した経路により陽極室４から陰極室２へ導入される。すなわち、電解原水供給管３７から還流管３８を通って陽極室４内で電解された後、電解水供給分岐管３７ｂ、３７ａを通って陰極室２内で電解される。この場合も、陽極室４内で生成した遊離塩素を、遊離塩素除去装置４０で取り除くことが可能である。また、ｐＨ調整剤供給タンク８により、陰極水のｐＨを所望の値とすることができる。
【００６７】
図４は陽極水を製造する本発明の電解水製造装置の一例を示す概略構成図である。図４に示す電解水製造装置４００は、電極の極性が逆であること及び遊離塩素除去装置４０がないこと以外は図３に示す装置と同じ構成であるので、同じ部分には同じ符号を付してその説明を省略する。図４中、４２は陽極水取出管、４１は陰極水取出管である。
【００６８】
電解原水は、ｐＨ調整剤供給タンク８により、ｐＨ調整剤が添加された後、その一部は電解原水供給分岐管３７ａを通って電解槽１の陽極室４内に送られる。陽極室４内で電解された後、陽極水取出管４２から外部に取り出される。
【００６９】
電解原水供給分岐管３７ｂを流通した電解原水は、陰極室２内で電解分解され、還流管３８から取り出され、ポンプ３９により分岐部３７ｃよりも上流側に戻される。
【００７０】
図４においても、破線矢印は、ポンプ３９を使用しない場合に陰極室２を流通し陽極室に供給される電解原水の経路を示している。
【００７１】
ｐＨ調整剤供給タンク８により添加するｐＨ調整剤は、図２の場合と同様である。
【実施例】
【００７２】
実施例１
図３に示す電解水製造装置３００を用いて水道水を電解し、陰極水を製造した。但し、電解槽の内部空間は１５ｃｍ×１０ｃｍ×０．２ｃｍの直方体であり、電解槽内に１４０ｍｍ×１００ｍｍの板状に形成した白金電極２枚を２ｍｍ間隔に挿入して陽極と陰極を配備した。隔膜には非電荷膜を使用した。この電解槽に水道水（合計塩素濃度15mg/L）を３Ｌ／ｍｉｎの流量で供給し、電極間を流れる電流は陰極室を流れる水の流速１Ｌ／ｍｉｎに対して１．５Ａに設定した。ｐＨ調整剤には炭酸水素ナトリウム水溶液を、遊離塩素除去装置４０の吸着剤には活性炭を使用した。ポンプ３９は使用しなかった。還流管３８を流れる電解原水の流量は、１．５Ｌ／ｍｉｎであった。
【００７３】
比較例１
図３に示す電解水製造装置３００の三方バルブ３６を陽極水が陽極水取出管３５から外部に排出されるように切り換えて実施例１と同じ条件で陰極水を製造した。分岐管３７ａと３７ｂを流れる電解原水の流量は、１：１であった。
【００７４】
実施例１及び比較例１で得られた陰極水のｐＨ、酸化還元電位（ＯＲＰ）、溶存酸素量（ＤＯ）、電気伝導度（ＥＣ）を測定した結果を表２に示す。
【００７５】
【表１】
2007275778.tif 000003
【００７６】
実施例１においては、単位時間当たりの流量に対する電気量が比較例１より多くなっているにもかかわらず、陰極水のｐＨは比較例１より低く、中性になっている。また、ORPの値は比較例１より実施例１で高くなっており、表１の溶存酸素量の結果を併せて考慮すると、実施例１では、溶存酸素と溶存水素が共存しているものと推察できる。
【００７７】
試験例１
実施例１及び比較例１で得られた陰極水８００mLを逆浸透膜で脱塩し、比較例１のｐＨを実施例１のｐＨと同じ値に調整した後、0.1M塩酸を10μLずつ添加しながら電気伝導度を測定した。結果を図５に示す。
【００７８】
図５において、変曲点は中和反応の終点を示している。変曲点における0.1M塩酸の添加量は、比較例１の陰極水が100μL付近であるのに対し、実施例１の陰極水は40μL付近である。
【００７９】
比較例１の陰極水の解離係数をKw1、中和滴定による滴定量をV1とし、実施例１の陰極水の解離係数をKw2、中和滴定による滴定量をV2とする。水の解離指数pKw=-logKwを比較すると、比較例１の解離指数は pKw1=14+log(V1/V0)、実施例１の解離指数は pKw2=14+log(V2/V0)となる。実施例１の滴定量V2が比較例１の滴下量V1より少ないので、pKw2＜pKw1となり、実施例１の陰極水の方が水の解離係数Kwが大きいことがわかる。但し、V0は25℃における１気圧下でのコントロールの滴定量で、電解原水のpHを調整して陰極水のpHと同じ値にするのに要した滴定量である。一般に、水の解離係数Kwが大きくなると溶質を良く溶かしたり、溶質の反応性が高まることが知られており、実施例１の陰極水のほうがこれらの性質に優れていることがわかる。
【００８０】
実施例２
図４に示す電解水製造装置４００を用いて0.2％の塩化ナトリウム水溶液を電解し、陽極水を製造した。但し、電解槽及び電極は、実施例１と同様のものを使用した。電解槽に塩化ナトリウム水溶液を３Ｌ／ｍｉｎの流量で供給し、電極間を流れる電流は陽極室を流れる水の流速１Ｌ／ｍｉｎに対して３Ａに設定した。ｐＨ調整剤には塩酸を使用した。ポンプ３９は使用しなかった。還流管３８を流れる電解原水の流量は、１Ｌ／ｍｉｎであった。
【００８１】
比較例２
図４に示す電解水製造装置４００の三方バルブ３６を陰極水が陰極水取出管４１から外部に排出されるように切り換えた以外は、実施例２と同じ条件で陽極水を製造した。分岐管３７ａと３７ｂを流れる電解原水の流量は、１：１であった。
【００８２】
実施例２及び比較例２で得られた陽極水のｐＨ、ＯＲＰ、ＤＯ、遊離塩素濃度を表２に示す。
【００８３】
【表２】
2007275778.tif 000004
【００８４】
実施例２においては、陰極水を電解原水に混合して陽極室に導入することにより、陰極水を廃棄することなく陽極水として再生することが可能となった。
【図面の簡単な説明】
【００８５】
【図１】本発明の電解水製造装置の一例を示す概略構成図である。
【図２】本発明の電解水製造装置の他の例を示す概略構成図である。
【図３】本発明の電解水製造装置の他の例を示す概略構成図である。
【図４】本発明の電解水製造装置の他の例を示す概略構成図である。
【図５】実施例１及び比較例１で得られた陰極水の電気伝導度曲線を示すグラフである。
【符号の説明】
【００８６】
１    電解槽
２    陰極室
３    陰極
４    陽極室
５    陽極
６    隔膜
７    供給管
８    ｐＨ調整剤供給タンク
９    電解原水供給管
１０    電解水取出管
１１、３０、３１    電解原水供給口
１２    電解水取出口
１３、３３    陽極水取出口
１４    陽極水供給口
１５、１６、１７、１８    側壁
２０、３２    陰極水取出口
２１    陰極水供給口
３４、４１    陰極水取出管
３５、４２    陽極水取出管
３６    三方バルブ
３７、３７ａ、３７ｂ    電解原水供給分岐管
３７ｃ    分岐部
３８    還流管
３９    ポンプ
４０    遊離塩素除去装置
１００、２００、３００、４００    電解水製造装置
【図１】
2007275778.tif 000005
【図２】
2007275778.tif 000006
【図３】
2007275778.tif 000007
【図４】
2007275778.tif 000008
【図５】
2007275778.tif 000009